(57)【要約】【課題】  簡易な手段により、記録されている電子情報の入出力の正確性を確保するとともに、その電子情報の改竄を防止して信頼性を高める。【解決手段】  音声入力手段３２と、前記入力された情報を音声或いは電子情報として記録保存する記憶手段４と、前記記憶手段に記憶された情報を選択的に抽出するとともに抽出された情報を表示または発音する出力手段６とを有する電子音声管理システム１であって、従来電子情報と音声入力手段３２によって記憶された音声情報とを比較することにより電子情報の正当性を確認できるだけでなく、多くの音声情報の中での迅速な抽出や音声入力手段３２に音声識別機能を設置することにより本人の音声であること確認も可能となる。【選択図】      図１
2005108090.tif 000002
【特許請求の範囲】
【請求項１】
各患者の医療個人情報を入力するための少なくとも音声入力手段を有する入力手段と、前記入力された情報を音声或いは電子情報として記録保持する記憶手段と、前記記憶手段に記憶された情報を選択的に抽出するとともに抽出された情報を表示または発音する出力手段とを有することを特徴とする電子音声管理システム。
【請求項２】
前記音声入力手段が、経時的情報とともに入力される請求項１記載の電子音声管理システム。
【請求項３】
前記音声入力情報が他の入力手段を介して予め定めた項目毎に記憶手段に記録される請求項１または２記載の電子音声管理システム。
【請求項４】
音声入力手段に音声識別機能が設置されている請求項１，２または３記載の電子音声管理システム。
【請求項５】
前記入力手段が入力された情報を一時的に記憶可能で且つ後に前記入力された情報を前記記憶手段に複写可能である請求項１，２，３または４記載の電子音声管理システム。
【発明の詳細な説明】
【技術分野】
【０００１】
本発明は、病院や診療所等の医療機関を受診した患者に対し、医師によるカルテの作成、看護師による看護日誌の作成、医師の作成した処方箋に基づく調剤薬局での薬剤師による薬剤調剤の際に、各患者の医療情報や看護経過情報、薬歴情報等を予め記憶させておき、これらの情報に基づき、安全チェックや、診療録管理、薬歴管理、服薬指導などを有効に行うための電子音声管理システムに関するものである。
【背景技術】
【０００２】
病院や診療所で受診する際、患者は医師より診療を受けると、ある場合では、医師により薬剤を処方されその処方箋に基づいて院内または院外の調剤薬局で薬剤師により薬剤を調剤されるだけでなく服薬指導等を行い患者に対して薬の服用上の注意などを指導する。また入院の診断を受けると、患者は院内で医師からの治療や看護師からの看護を受ける。
【０００３】
ところが、各患者の個人の医療情報に基づいて的確な診療を行ったり、正確に看護記録を残したり、薬歴に基づいて正確な服薬指導を行うためには、各患者の個人情報や薬歴を記録しておき、更には、例えば看護師による看護日誌の作成や薬剤の副作用情報など他の医療情報が必要である。
【０００４】
そこで、前記各種の医療情報等を電子化してデータベース化し、薬剤師の労力を大幅に軽減する電子的な医療管理システムが、多くが提示されている。（特許文献１，特許文献２，特許文献３参照）
【特許文献１】特開平７−８００４２号公報
【特許文献２】特開２０００−１６３４９８号公報
【特許文献３】特開２００２−１６３３６４号公報
【発明の開示】
【発明が解決しようとする課題】
【０００５】
ところが、前記特許文献１や特許文献２、特許文献３等に提示されている電子音声管理システムは、患者が書面に記載した情報、更には、患者に問診して得た情報を、医師または薬剤師などの第三者が例えばキーボードなどの入力手段を用いて入力することにより電子化したものを記録して、これらをデータベース化して利用するものであった。
【０００６】
そのため、一旦、入力してしまった後に、それらの情報に基づいて診察や服薬指導をしたにもかかわらず例えば所見が変わったり服用による副作用がでたような場合、その責任の所在を巡って情報が正しいものであったか否かに付き疑義が生じた場合には、電子化された情報が正しものであるのか否かを第三者的に確認することができず、責任の所在を明確にすることができない。
【０００７】
特に、従来のキーボードなどの入力手段によれば、代行入力や共同責任者による記録を共有することが可能であり、一旦入力して記録した後にデータを書き換え、追記、消去など改竄することができるため、説明責任・管理責任・結果責任などの自己責任に対する曖昧さを有し、信憑性を担保することができない。尚、これらの事態を生じさせないために、パスワードやＩＤなど各種のセキュリティ手段の採用も考えられるが、単に装置や操作を複雑化するだけであり、完全なものはない。
【０００８】
また、過失による入力ミス、内容の取り違えによるもの、内容的に過失であっても技術的に過失と認識することが難しい場合もある。
【０００９】
これらの事態を防ぐためには、入力時に使用した問診票や個人情報を記載した書面、更には、服薬指導の内容などを全て書面に記載して契約書のように当事者同士が互いに記載事項を署名などにより認証する手段も考えられるが、手続が煩雑で時間も掛かり、これらの全て長期間にわたり保管しておく必要があり、これを実施するのは極めて困難であって、電子化による医師や薬剤師、看護師などの労力の軽減にはならない。
【００１０】
そこで、本発明が解決しようとする課題は、従来から知られている電子音声管理システムにおいて、簡易な手段により、記録されている電子情報の入出力の正確性を確保するとともに、その電子情報の改竄を防止して信頼性を高め、後に疑義や訴訟などのトラブルが生じた場合に責任の所在を明らかにすることができるものを提供することにある。
【課題を解決するための手段】
【００１１】
本発明は以上の課題を解決するため、各患者の医療全般に関する情報を入力するための少なくとも音声入力手段を有する入力手段と、前記入力された情報を音声或いは電子情報として記録保存する記憶手段と、前記記憶手段に記憶された情報を選択的に抽出するとともに抽出された情報を表示または発音する出力手段とを有する電子音声管理システムとした。
【００１２】
すなわち、個人情報、処方箋情報、服薬指導情報などの必要な医療情報をキーボードのような入力手段により記録された電子情報だけでなく、音声入力手段により入力された情報を音声情報として記録しておき、後に、必要がある場合には両者を出力させて比較することにより、電子情報の正当性を確認する。
【００１３】
また、前記音声入力手段に、経時的情報とともに入力されるものを用いることにより記録されている電子情報との照合を素早く行うことができ、音声入力時に情報を予め定めた項目毎に記録させておくことにより、多くの音声情報の中で必要なものを素早く抽出することができる。
【００１４】
更に、音声入力手段に音声識別機能を設置することにより、本人の音声であることが確認される。
【発明の効果】
【００１５】
従って、本発明の電子音声管理システムは、簡易な手段により、記録されている電子情報の入出力の正確性を確保するとともに、その電子情報の改竄を防止して信頼性を高め、後に疑義や訴訟などのトラブルが生じた場合に責任の所在を明らかにすることができるものである。
【００１６】
また、音声入力手段を有することから、医師や薬剤師、看護師などで殊に仕事の都合上キーボードによる入力が困難な状況にある場合、或いは高齢者や弱視者、身体障がい者のように文書の記載が困難な場合には音声入力手段を用いて電子情報を含めて入力することもできる。
【００１７】
更に、過失による入力ミスや内容の取り違えによるもの、内容的に過失であっても技術的に過失と認識することが難しい場合においても、音声情報を電子医療情報に付しそれらを突合することにより、医療過誤等を未然に防ぐことができる。
【００１８】
更にまた、音声入力手段を有することから、医師や薬剤師、看護師と患者とのアナログ的な対話も電子化することができ、膨大な情報の中から適切な資料を探し出す手間を軽減することができるばかりでなく、音声医療情報の共有や音声医療情報を含んだ医療情報の統合が可能となる。
【発明を実施するための最良の形態】
【００１９】
以下に図面を参照して本発明の実施の形態を説明する。
【００２０】
図１及び図２は本発明である電子音声管理システム１を薬歴管理システムに用いた場合を示すものであり、基本的に従来周知のパーソナルコンピュータ１１を使用することが可能であり、コンピュータ１１内の制御装置２には、通常のキーボードやマウスからなる入力手段３１とマイクなどの音声入力手段３２からなる入力手段３、前記キーボードからなる入力手段３１から入力された電子情報を記録できる記憶手段４１と前記音声入力装置により入力された音声情報を記録できる記憶手段４２からなる例えばハードディスクである記憶手段４とを有している。
【００２１】
また、制御装置２には前記憶手段４に記憶された情報を選択的に抽出するとともに抽出された情報を表示する液晶やＣＲＴ等の表示部５およびスピーカなどの発音する出力手段６、プリンタ７が接続されている。
【００２２】
特に、本実施の形態では、前記音声入力手段３２には音声識別機能８が設置されている。
【００２３】
以上の構成を有する本実施の形態は、病院または診療所を受診して医師から処方箋を処方された患者は処方箋を提出する。処方箋を渡された薬剤師は、処方箋の内容を例えば前記キーボードである入力手段３１を用いて電子情報を記録できる記憶手段４１に記録する。
【００２４】
そして、特に患者が初めて調剤薬局に来局したときには、氏名、住所、年齢、連絡先、現在に至る病歴や薬剤または食品に関するアレルギーの有無、現在使用している薬剤の種類や用法などの服薬指導に必要な個人情報を記録しなければならないが、本実施の形態では、例えば薬剤師と患者が対話形式で問答するようにし、その質問や答えが前記音声入力手段３２を介して音声情報として記憶手段４２に記憶させる。
【００２５】
このとき、前記情報を表示部５に表示させたり、プリンタ７で印刷したりして活用できるように通常の電子情報として記憶手段４１にも記憶させておく必要があるが、これにはキーボードである入力手段３１を用いても良いが、音声入力手段３２に別途電子情報への変換手段を介在させることにより直接音声により双方の記憶手段４１，４２にそれぞれ記憶させても良い。
【００２６】
また、音声入力に際しては、記憶させておく項目毎に記憶手段４の記憶部分を区分けしておき、例えばこれをキーボードである入力手段３１のファンクションキーなどに連動させておき、例えばＦ１キーを押して音声を入力したときには個人情報、Ｆ２キーを押して音声を入力したときには服薬指導情報というようにしておくと、後に特定の情報を出力する際に抽出が簡単で迅速にすることができる。
【００２７】
更に、本実施の形態では、音声入力手段３２には音声識別機能８が設置されている。従って、一度声紋を登録しておくことにより、人の識別ができ、或いは、後に出力させた時に、それを誰がしゃべっているかを容易且つ確実に認別することができる。
【００２８】
更にまた、本実施の形態では、情報は、経時的情報、即ち、記録された年、月日、時、分が患者名と共にリアルタイムで記録される。
【００２９】
尚、音声による入力は、その後も電子情報の代わりに或いは一緒に続けて行い、その後も継続して行われる服薬指導などに関する情報に付いても音声情報を蓄積していく。
【００３０】
以上の本発明である電子音声管理システム１では、通常は、記憶手段４１に記録されている電子情報を用いて服薬指導を行っていくが、電子情報について疑義がある場合などには、前記記憶手段４２に記録した音声情報を選択抽出してスピーカなどの発音する出力手段６により再生して電子情報の内容と比較して信憑性を証明する。
【００３１】
このとき、本実施の形態では、前記記憶手段４２を記憶させる項目毎に区切ってあるので、経時的情報と相俟って、必要な情報を簡単且つ迅速に確認することができるとともに患者自身がそのように答えたのか否かが明確に判断でき、責任の所在も明らかにすることができる。
【００３２】
また、前記本発明の形態においては処方箋についての管理システムについて一例を挙げたが、例えば医師が患者の診療内容を記載するカルテの場合には医師と患者との診療中の対話やカルテに記載する情報を、また、看護師による患者の看護日誌の作成の際には看護師と患者との看護中の対話や看護日誌に記載する情報を、音声入力手段３２を介して音声情報として記憶手段４２に記憶させることができる。
【００３３】
また、殊に、医師や看護師のようにベッドサイドなどでキーボード入力が困難な場合には、ベッドサイドなど入力しやすい箇所に入力手段を設けるか、或いは、無線式の音声入力装置を用いるか、または、前記記憶手段として用いるパーソナルコンピュータ１１とは別体で後に前記パーソナルコンピュータ１１にそのままの情報を音声および電子情報として入力可能な、例えば携帯情報端末（ＰＤＡ）のような別体の機器にいったん入力して記憶させておいてもよい（図示せず）。
【００３４】
以上のように、本実施の形態によれば、簡易な手段により、記録されている電子情報の入出力の正確性を確保するとともに、その電子情報の改竄を防止して信頼性を高め、後に疑義や訴訟などのトラブルが生じた場合に責任の所在を明らかにすることができるものである。
【００３５】
また、音声入力手段を有することから、の変換手段を介して音声情報をそのまま電子情報に変換させることも可能であり、薬剤師などが身障者やでキーボードによる入力が困難な場合、或いは高齢者や弱視者、身体障がい者のように文書の記載が困難な場合には音声入力手段を用いて電子情報をも入力することもできる。
【図面の簡単な説明】
【００３６】
【図１】本発明の実施の形態を示す概要図。
【図２】本発明の実施の形態を示すブロック概要図。
【符号の説明】
【００３７】
１  電子音声管理システム
４  記憶手段
６  出力手段
８  音声識別機能
１１  パーソナルコンピュータ
３２  音声入力手段
【図１】
2005108090.tif 000003
【図２】
2005108090.tif 000004